(57)【特許請求の範囲】
【請求項１】
移動局とパケットデータネットワークとの間のベアラが確立されている状態で、移動管理ノードが、ゲートウェイ装置又は該移動管理ノードにおける故障により該ベアラを切断する場合、該移動局に対して、規制時間を含む該ベアラの切断要求信号を送信する工程と、
前記移動局が、受信した前記切断要求信号に含まれる前記規制時間に基づいて、前記規制時間の間は、前記パケットデータネットワーク宛ての発信を規制する工程とを有し、
前記切断要求信号を送信する工程では、前記移動管理ノードが、前記故障を検出した場合に前記パケットデータネットワーク宛ての発信規制を発動することを決定し、前記切断要求信号を送信することを特徴とする移動通信方法。
【請求項２】
移動局とパケットデータネットワークとの間のベアラが確立されている状態で、パケット交換機が、上位パケット交換機又は該パケット交換機における故障により該ベアラを切断する場合、該移動局に対して、規制時間を含む該ベアラの切断要求信号を送信する工程と、
前記移動局が、受信した前記切断要求信号に含まれる前記規制時間に基づいて、前記規制時間の間は、前記パケットデータネットワーク宛ての発信を規制する工程とを有し、
前記切断要求信号を送信する工程では、前記パケット交換機が、前記故障を検出した場合に前記パケットデータネットワーク宛ての発信規制を発動することを決定し、前記切断要求信号を送信することを特徴とする移動通信方法。
【請求項３】
移動管理ノードであって、
移動局とパケットデータネットワークとの間のベアラが確立されている状態で、ゲートウェイ装置又は前記移動管理ノードにおける故障により該ベアラを切断する場合、該移動局に対して、規制時間を含む該ベアラの切断要求信号を送信するように構成されている送信部と、
前記故障を検出した場合に前記パケットデータネットワーク宛ての発信規制を発動することを決定する決定部とを具備し、
前記送信部は、前記決定部によって前記発信規制を発動することが決定された場合、前記切断要求信号を送信することを特徴とする移動管理ノード。
【請求項４】
パケット交換機であって、
移動局とパケットデータネットワークとの間のベアラが確立されている状態で、上位パケット交換機又は前記パケット交換機における故障により該ベアラを切断する場合、該移動局に対して、規制時間を含む該ベアラの切断要求信号を送信するように構成されている送信部と、
前記故障を検出した場合に前記パケットデータネットワーク宛ての発信規制を発動することを決定する決定部と
を具備し、
前記送信部は、前記決定部によって前記発信規制を発動することが決定された場合、前記切断要求信号を送信することを特徴とするパケット交換機。
【請求項５】
移動局であって、
パケットデータネットワークとの間のベアラが確立されている状態で、移動管理ノード又はパケット交換機から、前記移動管理ノード、前記パケット交換機またはゲートウェイ装置の故障に伴って、規制時間を含む該ベアラの切断要求信号を受信した場合、受信した前記切断要求信号に含まれる前記規制時間に基づいて、該規制時間の間は、該パケットデータネットワーク宛ての発信を規制するように構成されている発信規制部を具備することを特徴とする移動局。
【発明の詳細な説明】
【技術分野】
【０００１】
本発明は、移動通信方法、移動管理ノード、パケット交換機及び移動局に関する。
【背景技術】
【０００２】
ＬＴＥ（Ｌｏｎｇ  Ｔｅｒｍ  Ｅｖｏｌｕｔｉｏｎ）及びＧＰＲＳ（Ｇｅｎｅｒａｌ  Ｐａｃｋｅｔ  Ｒａｄｉｏ  Ｓｅｒｖｉｃｅ）のＲｅｌ-１０方式では、トラフィック量の膨大なＵＥ（Ｕｓｅｒ  Ｅｑｕｉｐｍｅｎｔ、移動局）や短時間に何度も発信を繰り返すＵＥの発信を規制するための手順が規定されている。以下、図１１を参照して、ＬＴＥ方式を例に挙げて、かかる手順について簡単に説明する。
【０００３】
具体的には、図１１に示すように、ステップＳ３００１において、ＵＥが、ＭＭＥ（Ｍｏｂｉｌｉｔｙ  Ｍａｎａｇｅｍｅｎｔ  Ｅｎｔｉｔｙ、移動管理ノード）に対して、あるＡＰＮ（Ａｃｃｅｓｓ  Ｐｏｉｎｔ  Ｎａｍｅ、接続先のパケットデータネットワークの識別情報）宛ての「ＰＤＮ  Ｃｏｎｎｅｃｔｉｖｉｔｙ  Ｒｅｑｕｅｓｔ」を送信する。
【０００４】
ＭＭＥは、ステップＳ３００２において、かかるＵＥの発信を規制することを決定すると、ステップＳ３００３において、かかるＵＥに対して、規制時間を含む「ＰＤＮ  Ｃｏｎｎｅｃｔｉｖｉｔｙ  Ｒｅｊｅｃｔ」を送信する。
【０００５】
ステップＳ３００４において、ＵＥは、受信した「ＰＤＮ  Ｃｏｎｎｅｃｔｉｖｉｔｙ  Ｒｅｊｅｃｔ」に含まれる規制時間の間、上述のＡＰＮ宛ての発信を規制する。
【先行技術文献】
【非特許文献】
【０００６】
【非特許文献１】３ＧＰＰ  ＴＳ２３.４０１
【非特許文献２】３ＧＰＰ  ＴＳ２３.０６０
【発明の概要】
【発明が解決しようとする課題】
【０００７】
しかしながら、多くのＵＥとパケットデータネットワークとの間でベアラが確立されている状態で、Ｐ-ＧＷ（ＰＤＮ  Ｇａｔｅｗａｙ、ＰＤＮゲートウェイ装置）やＳ-ＧＷ（Ｓｅｒｖｉｎｇ  Ｇａｔｅｗａｙ、サービングゲートウェイ装置）やＭＭＥ等のコアネットワーク装置における故障等の所定事由によって、多くのベアラが一斉に切断され、その後、図５に示す手順が起動する前に、多くのＵＥからの発信が一斉に発生してしまい、ネットワークが輻輳してしまうという問題点があった。
【０００８】
そこで、本発明は、上述の課題に鑑みてなされたものであり、多くのＵＥとパケットデータネットワークとの間でベアラが確立されている状態で、コアネットワーク装置において故障が発生した場合であっても、ネットワークの輻輳を回避することができる移動通信方法、移動管理ノード、パケット交換機及び移動局を提供することを目的とする。
【課題を解決するための手段】
【０００９】
本発明の第１の特徴は、移動通信方法であって、移動局とパケットデータネットワークとの間のベアラが確立されている状態で、移動管理ノードが、ゲートウェイ装置又は該移動管理ノードにおける所定事由で該ベアラを切断する場合、該移動局に対して、規制時間を含む切断要求信号を送信する工程と、前記移動局が、前記規制時間の間は、前記パケットデータネットワーク宛ての発信を規制する工程とを有することを要旨とする。
【００１０】
本発明の第２の特徴は、移動通信方法であって、移動局とパケットデータネットワークとの間のベアラが確立されている状態で、パケット交換機が、上位パケット交換機又は該パケット交換機における所定事由で該ベアラを切断する場合、該移動局に対して、規制時間を含む切断要求信号を送信する工程と、前記移動局が、前記規制時間の間は、前記パケットデータネットワーク宛ての発信を規制する工程とを有することを要旨とする。
【００１１】
本発明の第３の特徴は、移動管理ノードであって、移動局とパケットデータネットワークとの間のベアラが確立されている状態で、ゲートウェイ装置又は前記移動管理ノードにおける所定事由で該ベアラを切断する場合、該移動局に対して、規制時間を含む切断要求信号を送信するように構成されている送信部を具備することを要旨とする。
【００１２】
本発明の第４の特徴は、パケット交換機であって、移動局とパケットデータネットワークとの間のベアラが確立されている状態で、上位パケット交換機又は前記パケット交換機における所定事由で該ベアラを切断する場合、該移動局に対して、規制時間を含む切断要求信号を送信するように構成されている送信部を具備することを要旨とする。
【００１３】
本発明の第５の特徴は、移動局であって、パケットデータネットワークとの間のベアラが確立されている状態で、移動管理ノード又はパケット交換機から、規制時間を含む切断要求信号を受信した場合に、該規制時間の間は、該パケットデータネットワーク宛ての発信を規制するように構成されている発信規制部を具備することを要旨とする。
【発明の効果】
【００１４】
以上説明したように、本発明によれば、多くのＵＥとパケットデータネットワークとの間でベアラが確立されている状態で、コアネットワーク装置において故障が発生した場合であっても、ネットワークの輻輳を回避することができる移動通信方法、移動管理ノード、パケット交換機及び移動局を提供することができる。
【図面の簡単な説明】
【００１５】
【図１】本発明の第１の実施形態に係る移動通信システムの全体構成図である。
【図２】本発明の第１の実施形態に係るＭＭＥの機能ブロック図である。
【図３】本発明の第１の実施形態に係るＵＥの機能ブロック図である。
【図４】本発明の第１の実施形態に係る移動通信システムの動作を示すシーケンス図である。
【図５】本発明の第１の実施形態に係る移動通信システムの動作を示すシーケンス図である。
【図６】本発明の第１の実施形態に係る移動通信システムの動作を示すシーケンス図である。
【図７】本発明の第２の実施形態に係る移動通信システムの全体構成図である。
【図８】本発明の第２の実施形態に係るＳＧＳＮの機能ブロック図である。
【図９】本発明の第２の実施形態に係る移動通信システムの動作を示すシーケンス図である。
【図１０】本発明の第２の実施形態に係る移動通信システムの動作を示すシーケンス図である。
【図１１】従来の移動通信システムの動作を示すシーケンス図である。
【発明を実施するための形態】
【００１６】
（本発明の第１の実施形態に係る移動通信システム）
図１乃至図６を参照して、本発明の第１の実施形態に係る移動通信システムについて説明する。本実施形態では、ＬＴＥ方式の移動通信システムを例示して説明する。
【００１７】
図１に示すように、本実施形態に係る移動通信システムは、Ｐ-ＧＷと、Ｓ-ＧＷと、ＭＭＥと、Ｅ-ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）内のｅＮＢ（無線基地局）とを具備している。
【００１８】
図２に示すように、ＭＭＥは、受信部１１と、決定部１２と、送信部１３とを具備している。
【００１９】
受信部１１は、ＵＥやｅＮＢやＳ-ＧＷから各種信号を受信するように構成されている。例えば、受信部１１は、Ｓ-ＧＷからベアラ切断信号を受信するように構成されている。
【００２０】
決定部１２は、Ｓ-ＧＷ又はＰ-ＧＷにおける故障等の所定事由又はＭＭＥにおける故障等の所定事由を検出した場合、発信規制を発動することを決定し、その旨を送信部１３に対して通知すると共に、特定のＵＥのベアラを切断するように構成されている。
【００２１】
例えば、決定部１２は、受信部１１によって受信されたベアラ切断要求信号に基づいて、Ｓ-ＧＷ又はＰ-ＧＷにおける故障等の所定事由を検出するように構成されていてもよい。
【００２２】
また、決定部１２は、受信部１１によって受信されたベアラ切断要求信号によって指定されたＵＥのベアラを切断するように構成されていてもよいし、所定規則に基づいて、特定のＵＥのベアラを切断するように構成されていてもよい。
【００２３】
送信部１３は、ＵＥやｅＮＢやＳ-ＧＷに対して各種信号を送信するように構成されている。
【００２４】
例えば、送信部１３は、決定部１２からの通知に応じて、ＵＥに対して、規制時間を含む「ＰＤＮ  Ｄｉｓｃｏｎｎｅｃｔｉｏｎ  Ｒｅｑｕｅｓｔ」又は「Ｄｅｔａｃｈ  Ｒｅｑｕｅｓｔ」を送信するように構成されている。
【００２５】
ここで、送信部１３は、複数のベアラのうちの１つのベアラを切断する場合、ＵＥに対して、規制時間を含む「ＰＤＮ  Ｄｉｓｃｏｎｎｅｃｔｉｏｎ  Ｒｅｑｕｅｓｔ」を送信するように構成されている。
【００２６】
一方、送信部１３は、残りの全てのベアラを切断する場合、ＵＥに対して、規制時間を含む「Ｄｅｔａｃｈ  Ｒｅｑｕｅｓｔ」を送信するように構成されている。
【００２７】
図３に示すように、ＵＥは、受信部２１と、発信規制部２２とを具備している。
【００２８】
受信部２１は、ｅＮＢやＭＭＥから各種信号を受信するように構成されている。例えば、受信部２１は、ＭＭＥから「ＰＤＮ  Ｄｉｓｃｏｎｎｅｃｔｉｏｎ  Ｒｅｑｕｅｓｔ」や「Ｄｅｔａｃｈ  Ｒｅｑｕｅｓｔ」を受信するように構成されている。
【００２９】
発信規制部２２は、ＭＭＥからの指示に応じて、特定のＡＰＮ宛ての発信を規制するように構成されている。
【００３０】
例えば、発信規制部２２は、ＵＥとパケットデータネットワークとの間のベアラが確立されている状態で、受信部２１によって「ＰＤＮ  Ｄｉｓｃｏｎｎｅｃｔｉｏｎ  Ｒｅｑｕｅｓｔ/Ｄｅｔａｃｈ  Ｒｅｑｕｅｓｔ」又は「Ｄｅａｃｔｉｖａｔｅ  ＰＤＰ  Ｃｏｎｔｅｘｔ  Ｒｅｑｕｅｓｔ」が受信された場合に、かかる「ＰＤＮ  Ｄｉｓｃｏｎｎｅｃｔｉｏｎ  Ｒｅｑｕｅｓｔ/Ｄｅｔａｃｈ  Ｒｅｑｕｅｓｔ」又は「Ｄｅａｃｔｉｖａｔｅ  ＰＤＰ  Ｃｏｎｔｅｘｔ  Ｒｅｑｕｅｓｔ」に含まれる規制時間の間は、かかる「ＰＤＮ  Ｄｉｓｃｏｎｎｅｃｔｉｏｎ  Ｒｅｑｕｅｓｔ/Ｄｅｔａｃｈ  Ｒｅｑｕｅｓｔ」又は「Ｄｅａｃｔｉｖａｔｅ  ＰＤＰ  Ｃｏｎｔｅｘｔ  Ｒｅｑｕｅｓｔ」に係るパケットデータネットワーク宛ての発信を規制するように構成されている。
【００３１】
以下、図４乃至図６を参照して、本実施形態に係る移動通信システムの動作について説明する。
【００３２】
第１に、図４を参照して、本実施形態に係る移動通信システムにおいて、ＵＥとパケットデータネットワークとの間でベアラが確立されている状態で、Ｐ-ＧＷにおいて故障が発生した場合の動作について説明する。
【００３３】
図４に示すように、Ｐ-ＧＷは、ステップＳ１００１において、故障を検出すると、ステップＳ１００２において、Ｓ-ＧＷに対して、特定のベアラの切断を要求するベアラ切断要求信号を送信する。
【００３４】
ステップＳ１００３において、Ｓ-ＧＷは、かかるベアラを切断すると共に、ＭＭＥに対して、かかるベアラの切断を要求するベアラ切断要求信号を送信する。
【００３５】
ステップＳ１００４において、ＭＭＥは、かかるベアラ切断要求信号に応じて、Ｐ-ＧＷにおいて故障が発生したことを検出し、特定のＵＥの特定のパケットネットワーク（ＡＰＮ）宛ての発信を規制すること決定する。
【００３６】
ＭＭＥは、かかるベアラを切断すると共に、ステップＳ１００５Ａ又はＳ１００５Ｂにおいて、特定のＵＥに対して、規制時間を含む「ＰＤＮ  Ｄｉｓｃｏｎｎｅｃｔｉｏｎ  Ｒｅｑｕｅｓｔ」又は「Ｄｅｔａｃｈ  Ｒｅｑｕｅｓｔ」を送信する。
【００３７】
ステップＳ１００６において、ＵＥは、受信した「ＰＤＮ  Ｄｉｓｃｏｎｎｅｃｔｉｏｎ  Ｒｅｑｕｅｓｔ」又は「Ｄｅｔａｃｈ  Ｒｅｑｕｅｓｔ」に含まれる規制時間の間、上述のパケットデータネットワーク（ＡＰＮ）宛ての発信を規制する。
【００３８】
第２に、図５を参照して、本実施形態に係る移動通信システムにおいて、ＵＥとパケットデータネットワークとの間でベアラが確立されている状態で、Ｓ-ＧＷにおいて故障が発生した場合の動作について説明する。
【００３９】
図５に示すように、Ｓ-ＧＷは、ステップＳ１１０１において、故障を検出すると、ステップＳ１１０２において、Ｐ-ＧＷとの間で、特定のベアラの切断手順を行うと共に、ステップＳ１１０３において、ＭＭＥに対して、かかるベアラの切断を要求するベアラ切断要求信号を送信する。
【００４０】
ステップＳ１１０４において、ＭＭＥは、かかるベアラ切断要求信号に応じて、Ｓ-ＧＷにおいて故障が発生したことを検出し、特定のＵＥの特定のパケットネットワーク（ＡＰＮ）宛ての発信を規制すること決定する。
【００４１】
ＭＭＥは、かかるベアラを切断すると共に、ステップＳ１１０５Ａ又はＳ１１０５Ｂにおいて、特定のＵＥに対して、規制時間を含む「ＰＤＮ  Ｄｉｓｃｏｎｎｅｃｔｉｏｎ  Ｒｅｑｕｅｓｔ」又は「Ｄｅｔａｃｈ  Ｒｅｑｕｅｓｔ」を送信する。
【００４２】
ステップＳ１１０６において、ＵＥは、受信した「ＰＤＮ  Ｄｉｓｃｏｎｎｅｃｔｉｏｎ  Ｒｅｑｕｅｓｔ」又は「Ｄｅｔａｃｈ  Ｒｅｑｕｅｓｔ」に含まれる規制時間の間、上述のパケットデータネットワーク（ＡＰＮ）宛ての発信を規制する。
【００４３】
第３に、図６を参照して、本実施形態に係る移動通信システムにおいて、ＵＥとパケットデータネットワークとの間でベアラが確立されている状態で、ＭＭＥにおいて故障が発生した場合の動作について説明する。
【００４４】
図６に示すように、ＭＭＥは、ステップＳ１２０１において、故障を検出すると、ステップＳ１２０２において、Ｐ-ＧＷとの間で、特定のベアラの切断手順を行う。
【００４５】
ステップＳ１２０３において、ＭＭＥは、特定のＵＥの特定のパケットネットワーク（ＡＰＮ）宛ての発信を規制すること決定する。
【００４６】
ＭＭＥは、ステップＳ１２０４Ａ又はＳ１２０４Ｂにおいて、特定のＵＥに対して、規制時間を含む「ＰＤＮ  Ｄｉｓｃｏｎｎｅｃｔｉｏｎ  Ｒｅｑｕｅｓｔ」又は「Ｄｅｔａｃｈ  Ｒｅｑｕｅｓｔ」を送信する。
【００４７】
ステップＳ１２０５において、ＵＥは、受信した「ＰＤＮ  Ｄｉｓｃｏｎｎｅｃｔｉｏｎ  Ｒｅｑｕｅｓｔ」又は「Ｄｅｔａｃｈ  Ｒｅｑｕｅｓｔ」に含まれる規制時間の間、上述のパケットデータネットワーク（ＡＰＮ）宛ての発信を規制する。
【００４８】
本実施形態に係る移動通信システムによれば、多くのＵＥとパケットデータネットワークとの間でベアラが確立されている状態で、Ｓ-ＧＷやＰ-ＧＷやＭＭＥにおいて故障が発生した場合に、特定のＵＥに対して、規制時間を含む「ＰＤＮ  Ｄｉｓｃｏｎｎｅｃｔｉｏｎ  Ｒｅｑｕｅｓｔ」又は「Ｄｅｔａｃｈ  Ｒｅｑｕｅｓｔ」を送信することによって、特定のＵＥの特定のパケットデータネットワーク（ＡＰＮ）宛ての発信を規制することができるため、ネットワークの輻輳を回避することができる。
【００４９】
（本発明の第２の実施形態に係る移動通信システム）
以下、図７乃至図１０を参照して、本発明の第２の実施形態に係る移動通信システムについて、上述の第１の実施形態に係る移動通信システムとの相違点に着目して説明する。本実施形態では、ＷＣＤＭＡ方式の移動通信システムを例示して説明する。
【００５０】
図７に示すように、本実施形態に係る移動通信システムは、ＧＧＳＮと、ＳＧＳＮ（Ｓｅｒｖｉｎｇ  ＧＰＲＳ  Ｓｕｐｐｏｒｔ  Ｎｏｄｅ、パケット交換機）と、ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）内のＲＮＣ（Ｒａｄｉｏ  Ｎｅｔｗｏｒｋ  Ｃｏｎｔｒｏｌｌｅｒ、無線回線制御局）及びＮｏｄｅＢ（無線基地局）とを具備している。
【００５１】
図８に示すように、ＳＧＳＮは、受信部３１と、決定部３２と、送信部３３とを具備している。
【００５２】
受信部３１は、ＵＥやＲＮＣやＧＧＳＮから各種信号を受信するように構成されている。例えば、受信部３１は、ＧＧＳＮからベアラ切断信号を受信するように構成されている。
【００５３】
決定部３２は、ＧＧＳＮにおける故障等の所定事由又はＳＧＳＮにおける故障等の所定事由を検出した場合、発信規制を発動することを決定し、その旨を送信部３３に対して通知すると共に、特定のＵＥのベアラを切断するように構成されている。
【００５４】
例えば、決定部３２は、受信部３１によって受信されたベアラ切断要求信号に基づいて、ＧＧＳＮにおける故障等の所定事由を検出するように構成されていてもよい。
【００５５】
また、決定部３２は、受信部３１によって受信されたベアラ切断要求信号によって指定されたＵＥのベアラを切断するように構成されていてもよいし、所定規則に基づいて、特定のＵＥのベアラを切断するように構成されていてもよい。
【００５６】
送信部３３は、ＵＥやＲＮＣやＧＧＳＮに対して各種信号を送信するように構成されている。
【００５７】
例えば、送信部３３は、決定部３２からの通知に応じて、ＵＥに対して、規制時間を含む「Ｄｅａｃｔｉｖａｔｅ  ＰＤＰ  Ｃｏｎｔｅｘｔ  Ｒｅｑｕｅｓｔ」を送信するように構成されている。
【００５８】
また、ＵＥの受信部２１は、ＮｏｄｅＢやＲＮＣやＳＧＳＮから各種信号を受信するように構成されている。例えば、受信部２１は、ＳＧＳＮから「Ｄｅａｃｔｉｖａｔｅ  ＰＤＰ  Ｃｏｎｔｅｘｔ  Ｒｅｑｕｅｓｔ」を受信するように構成されている。
【００５９】
発信規制部２２は、ＳＧＳＮからの指示に応じて、特定のＡＰＮ宛ての発信を規制するように構成されている。
【００６０】
例えば、発信規制部２２は、ＵＥとパケットデータネットワークとの間のベアラが確立されている状態で、受信部２１によって「Ｄｅａｃｔｉｖａｔｅ  ＰＤＰ  Ｃｏｎｔｅｘｔ  Ｒｅｑｕｅｓｔ」が受信された場合に、かかる「Ｄｅａｃｔｉｖａｔｅ  ＰＤＰ  Ｃｏｎｔｅｘｔ  Ｒｅｑｕｅｓｔ」に含まれる規制時間の間は、かかる「Ｄｅａｃｔｉｖａｔｅ  ＰＤＰ  Ｃｏｎｔｅｘｔ  Ｒｅｑｕｅｓｔ」に係るパケットデータネットワーク宛ての発信を規制するように構成されている。
【００６１】
以下、図９及び図１０を参照して、本実施形態に係る移動通信システムの動作について説明する。
【００６２】
第１に、図９を参照して、本実施形態に係る移動通信システムにおいて、ＵＥとパケットデータネットワークとの間でベアラが確立されている状態で、ＧＧＳＮにおいて故障が発生した場合の動作について説明する。
【００６３】
図９に示すように、ＧＧＳＮは、ステップＳ２００１において、故障を検出すると、ステップＳ２００２において、ＳＧＳＮに対して、特定のベアラの切断を要求するベアラ切断要求信号を送信する。
【００６４】
ステップＳ２００３において、ＳＧＳＮは、かかるベアラ切断要求信号に応じて、ＧＧＳＮにおいて故障が発生したことを検出し、特定のＵＥの特定のパケットネットワーク（ＡＰＮ）宛ての発信を規制すること決定する。
【００６５】
ＳＧＳＮは、かかるベアラを切断すると共に、ステップＳ２００４において、特定のＵＥに対して、規制時間を含む「Ｄｅａｃｔｉｖａｔｅ  ＰＤＰ  Ｃｏｎｔｅｘｔ  Ｒｅｑｕｅｓｔ」を送信する。
【００６６】
ステップＳ２００５において、ＵＥは、受信した「Ｄｅａｃｔｉｖａｔｅ  ＰＤＰ  Ｃｏｎｔｅｘｔ  Ｒｅｑｕｅｓｔ」に含まれる規制時間の間、上述のパケットデータネットワーク（ＡＰＮ）宛ての発信を規制する。
【００６７】
第２に、図１０を参照して、本実施形態に係る移動通信システムにおいて、ＵＥとパケットデータネットワークとの間でベアラが確立されている状態で、ＳＧＳＮにおいて故障が発生した場合の動作について説明する。
【００６８】
図１０に示すように、ＳＧＳＮは、ステップＳ２１０１において、故障を検出すると、ステップＳ２１０２において、ＧＧＳＮとの間で、特定のベアラの切断手順を行う。
【００６９】
ステップＳ２１０３において、ＳＧＳＮは、特定のＵＥの特定のパケットネットワーク（ＡＰＮ）宛ての発信を規制すること決定する。
【００７０】
ＳＧＳＮは、かかるベアラを切断すると共に、ステップＳ２１０４において、特定のＵＥに対して、規制時間を含む「Ｄｅａｃｔｉｖａｔｅ  ＰＤＰ  Ｃｏｎｔｅｘｔ  Ｒｅｑｕｅｓｔ」を送信する。
【００７１】
ステップＳ２１０５において、ＵＥは、受信した「Ｄｅａｃｔｉｖａｔｅ  ＰＤＰ  Ｃｏｎｔｅｘｔ  Ｒｅｑｕｅｓｔ」に含まれる規制時間の間、上述のパケットデータネットワーク（ＡＰＮ）宛ての発信を規制する。
【００７２】
本実施形態に係る移動通信システムによれば、多くのＵＥとパケットデータネットワークとの間でベアラが確立されている状態で、ＧＧＳＮやＳＧＳＮにおいて故障等の所定事由が発生した場合に、特定のＵＥに対して、規制時間を含む「Ｄｅａｃｔｉｖａｔｅ  ＰＤＰ  Ｃｏｎｔｅｘｔ  Ｒｅｑｕｅｓｔ」を送信することによって、特定のＵＥの特定のパケットデータネットワーク（ＡＰＮ）宛ての発信を規制することができるため、ネットワークの輻輳を回避することができる。
【００７３】
以上に述べた本実施形態の特徴は、以下のように表現されていてもよい。
【００７４】
本実施形態の第１の特徴は、移動通信方法であって、ＵＥ（移動局）とパケットデータネットワークとの間のベアラが確立されている状態で、ＭＭＥ（移動管理ノード）が、Ｓ-ＧＷ/Ｐ-ＧＷ（ゲートウェイ装置）又はＭＭＥにおける故障等の所定事由により、かかるベアラを切断する場合、ＵＥに対して、規制時間を含む「ＰＤＮ  Ｄｉｓｃｏｎｎｅｃｔｉｏｎ  Ｒｅｑｕｅｓｔ/Ｄｅｔａｃｈ  Ｒｅｑｕｅｓｔ（切断要求信号）」を送信する工程と、ＵＥが、かかる規制時間の間は、かかるパケットデータネットワーク宛ての発信を規制する工程とを有することを要旨とする。
【００７５】
本実施形態の第２の特徴は、移動通信方法であって、ＵＥとパケットデータネットワークとの間のベアラが確立されている状態で、ＳＧＳＮ（パケット交換機）が、ＧＧＳＮ（上位パケット交換機）又はＳＧＳＮにおける故障等の所定事由により、かかるベアラを切断する場合、ＵＥに対して、規制時間を含む「Ｄｅａｃｔｉｖａｔｅ  ＰＤＰ  Ｃｏｎｔｅｘｔ  Ｒｅｑｕｅｓｔ（切断要求信号）」を送信する工程と、ＵＥが、かかる規制時間の間は、かかるパケットデータネットワーク宛ての発信を規制する工程とを有することを要旨とする。
【００７６】
本実施形態の第３の特徴は、ＭＭＥであって、ＵＥとパケットデータネットワークとの間のベアラが確立されている状態で、Ｓ-ＧＷ/Ｐ-ＧＷ又はＭＭＥにおける故障等の所定事由により、かかるベアラを切断する場合、ＵＥに対して、規制時間を含む「ＰＤＮ  Ｄｉｓｃｏｎｎｅｃｔｉｏｎ  Ｒｅｑｕｅｓｔ/Ｄｅｔａｃｈ  Ｒｅｑｕｅｓｔ」を送信するように構成されている送信部１３を具備することを要旨とする。
【００７７】
本実施形態の第４の特徴は、ＳＧＳＮであって、ＵＥとパケットデータネットワークとの間のベアラが確立されている状態で、ＧＧＳＮ又はＳＧＳＮにおける故障等の所定事由により、かかるベアラを切断する場合、ＵＥに対して、規制時間を含む「Ｄｅａｃｔｉｖａｔｅ  ＰＤＰ  Ｃｏｎｔｅｘｔ  Ｒｅｑｕｅｓｔ」を送信するように構成されている送信部３３を具備することを要旨とする。
【００７８】
本実施形態の第５の特徴は、ＵＥであって、パケットデータネットワークとの間のベアラが確立されている状態で、ＭＭＥ又はＳＧＳＮから、規制時間を含む「ＰＤＮ  Ｄｉｓｃｏｎｎｅｃｔｉｏｎ  Ｒｅｑｕｅｓｔ/Ｄｅｔａｃｈ  Ｒｅｑｕｅｓｔ」又は「Ｄｅａｃｔｉｖａｔｅ  ＰＤＰ  Ｃｏｎｔｅｘｔ  Ｒｅｑｕｅｓｔ」を受信した場合に、かかる規制時間の間は、かかるパケットデータネットワーク宛ての発信を規制するように構成されている発信規制部２２を具備することを要旨とする。
【００７９】
なお、上述のＵＥやｅＮＢやＮｏｄｅＢやＲＮＣやＭＭＥやＳ-ＧＷやＳＧＳＮやＧＧＳＮの動作は、ハードウェアによって実施されてもよいし、プロセッサによって実行されるソフトウェアモジュールによって実施されてもよいし、両者の組み合わせによって実施されてもよい。
【００８０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥやｅＮＢやＮｏｄｅＢやＲＮＣやＭＭＥやＳ-ＧＷやＳＧＳＮやＧＧＳＮ内に設けられていてもよい。また、かかる記憶媒体及びプロセッサは、ディスクリートコンポーネントとしてＵＥやｅＮＢやＮｏｄｅＢやＲＮＣやＭＭＥやＳ-ＧＷやＳＧＳＮやＧＧＳＮ内に設けられていてもよい。
【００８２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８３】
Ｐ-ＧＷ…ＰＤＮゲートウェイ装置
Ｓ-ＧＷ…サービングゲートウェイ装置
ＭＭＥ…移動管理ノード
ｅＮＢ、ＮｏｄｅＢ…無線基地局
ＧＧＳＮ…上位パケット交換機
ＳＧＳＮ…パケット交換機
ＲＮＣ…無線回線制御局
ＵＥ…移動局
１１、２１、３１…受信部
１２、３２…決定部
１３、３３…送信部
２３…発信規制部
【図１】
0005421969.tif 000002
【図２】
0005421969.tif 000003
【図３】
0005421969.tif 000004
【図４】
0005421969.tif 000005
【図５】
0005421969.tif 000006
【図６】
0005421969.tif 000007
【図７】
0005421969.tif 000008
【図８】
0005421969.tif 000009
【図９】
0005421969.tif 000010
【図１０】
0005421969.tif 000011
【図１１】
0005421969.tif 000012